(57)【要約】【課題】表示画面が左右方向に大型化しても優れた操作性を有する車両用表示装置を提供する。【解決手段】車両のコックピット前方の車幅方向略中央位置に配置される、タッチスクリーンと、少なくとも一部がタッチスクリーンに設けられ、ユーザーの操作入力を受け付ける受付部と、タッチスクリーンの表示画面に、第１機能に対応する第１画面と第２機能に対応する第２画面とを、左右方向に並べて表示し、受付部が受け付けた所定の第１指示操作に応じて、第１画面の表示位置と第２画面の少なくとも一部の表示内容の表示位置とを表示画面内で入れ替える、入れ替え制御を行う表示制御部とを備える、車両用表示装置。【選択図】図１０
2019164674.tif 000002
【特許請求の範囲】
【請求項１】
車両のコックピット前方の車幅方向略中央位置に配置される、タッチスクリーンと、
少なくとも一部が前記タッチスクリーンに設けられ、ユーザーの操作入力を受け付ける受付部と、
前記タッチスクリーンの表示画面に、第１機能に対応する第１画面と第２機能に対応する第２画面とを、左右方向に並べて表示し、前記受付部が受け付けた所定の第１指示操作に応じて、前記第１画面の表示位置と前記第２画面の少なくとも一部の表示内容の表示位置とを前記表示画面内で入れ替える、入れ替え制御を行う表示制御部とを備える、車両用表示装置。
【請求項２】
前記表示制御部は、
前記表示画面に、前記第２画面を、前記第１画面の左右の少なくとも一方に設けられ、前記第１画面の方向に向かって凸となる円弧状の輪郭を有する１つ以上の領域として表示し、
前記受付部が受け付けた所定の第２指示操作に応じて、複数の表示内容を、前記第２画面内の前記円弧状の輪郭の周方向に沿って移動させることにより、順次表示させる、請求項１に記載の車両用表示装置。
【請求項３】
前記表示制御部は、
前記第２画面を、前記領域として前記第１画面の左に設けられた左部分および前記第１画面の右に設けられた右部分に表示し、
前記入れ替え制御として、前記左部分および前記右部分のうち、一方の表示範囲が小さくなり、他方の表示範囲が大きくなるよう、前記第１画面と前記第２画面の前記左部分および前記右部分とを、右または左に平行移動させることにより、前記表示内容の表示位置を、前記左部分と前記右部分との間で入れ替える、請求項２に記載の車両用表示装置。
【請求項４】
前記表示制御部は、
前記受付部が受け付けた所定の第３指示操作に応じて、前記第２画面を全画面表示し、
前記第２画面を全画面表示している間に、前記受付部が受け付けた所定の第４指示操作に応じて、前記第１画面と前記第２画面の前記右部分および前記左部分を表示する、請求項３に記載の車両用表示装置。
【請求項５】
前記第１画面は矩形状であり、
前記表示制御部は、前記表示画面における前記第１画面の直線である左端縁と前記第２画面の前記左部分の円弧である右端縁との間の領域に、少なくとも前記第１画面の左端縁の画素に基づいて生成した画像を表示し、
前記表示画面における前記第１画面の直線である右端縁と前記第２画面の前記右部分の円弧である左端縁との間の領域に、少なくとも前記第１画面の右端縁の画素に基づいて生成した画像を表示する、請求項２〜４のいずれかに記載の車両用制御装置。
【発明の詳細な説明】
【技術分野】
【０００１】
本発明は、車両等に搭載される表示装置に関する。
【背景技術】
【０００２】
車両等においては、コックピット前方にドライバや同乗者等のユーザーに各種情報を提示する表示装置が備えられている。表示装置は、典型的にはディスプレイにタッチパネルが重ねられたタッチスクリーンであり、表示画面に指を触れて操作することにより、直観的な操作が可能である。
【０００３】
多くの情報を見やすく表示するため、表示画面を大型化することが考えられている。しかし、車両においては、ユーザーは座席に着座しており、大型化すると表示画面に手を伸ばしても届かない範囲が生じうる。例えば、座席から７２０ｍｍ以上離れた領域は手が届きにくくなるため、とくに表示画面の左右の長さを長くすると、座席から遠い側の左右端寄りの部分を操作することが困難となる。
【０００４】
従来、手を表示画面に触れなくても操作できるよう、表示画面の手前に別のタッチパネルを設けたり、表示画面の手前で行った手の動作を検出するモーション受付部を設けたりすることが提案されている（特許文献１、２、３参照）。
【先行技術文献】
【特許文献】
【０００５】
【特許文献１】特開２００３−２８０８１４号公報
【特許文献２】特開２０１３−１３７８２２号公報
【特許文献３】特開２０１３−３３４５１号公報
【発明の概要】
【発明が解決しようとする課題】
【０００６】
各特許文献のように、表示画面とは別の領域に対して操作をする場合、表示画面上で操作する場合に比べて、操作の直観性に限界がある。また、表示画面の手前でモーション操作をする場合、表示画面上の複数の操作対象を特定するのが困難であり、操作の正確性に限界がある。
【０００７】
本発明は、上記課題を鑑みてなされたものであり、表示画面が左右方向に大型化しても優れた操作性を有する車両用表示装置を提供することを目的とする。
【課題を解決するための手段】
【０００８】
上記課題を解決するために、本発明の一局面は、車両のコックピット前方の車幅方向略中央位置に配置される、タッチスクリーンと、少なくとも一部がタッチスクリーンに設けられ、ユーザーの操作入力を受け付ける受付部と、タッチスクリーンの表示画面に、第１機能に対応する第１画面と第２機能に対応する第２画面とを、左右方向に並べて表示し、受付部が受け付けた所定の第１指示操作に応じて、第１画面の表示位置と第２画面の少なくとも一部の表示内容の表示位置とを表示画面内で入れ替える、入れ替え制御を行う表示制御部とを備える、車両用表示装置である。
【０００９】
これにより、操作対象の画面をユーザーの手が届きやすい位置に移動させ、表示画面上で操作することができるため、操作性に優れる。
【００１０】
また、表示制御部は、表示画面に、第２画面を、第１画面の左右の少なくとも一方に設けられ、第１画面の方向に向かって凸となる円弧状の輪郭を有する１つ以上の領域として表示し、受付部が受け付けた所定の第２指示操作に応じて、複数の表示内容を、第２画面内の円弧状の輪郭の周方向に沿って移動させることにより、順次表示させてもよい。
【００１１】
これにより、簡単な操作によって、複数の表示内容を表示させることができる。
【００１２】
また、表示制御部は、第２画面を、領域として第１画面の左に設けられた左部分および第１画面の右に設けられた右部分に表示し、入れ替え制御として、左部分および右部分のうち、一方の表示範囲が小さくなり、他方の表示範囲が大きくなるよう、第１画面と第２画面の左部分および右部分とを、右または左に平行移動させることにより、表示内容の表示位置を、左部分と右部分との間で入れ替えてもよい。
【００１３】
また、表示制御部は、受付部が受け付けた所定の第３指示操作に応じて、第２画面を全画面表示し、第２画面を全画面表示している間に、受付部が受け付けた所定の第４指示操作に応じて、第１画面と第２画面の右部分および左部分を表示してもよい。
【００１４】
これらにより、操作性に優れた表示画面を提供できる。
【００１５】
また、第１画面は矩形状であり、表示制御部は、表示画面における第１画面の直線である左端縁と第２画面の左部分の円弧である右端縁との間の領域に、少なくとも第１画面の左端縁の画像に基づいて生成した画素を表示し、表示画面における第１画面の直線である右端縁と第２画面の右部分の円弧である左端縁との間の領域に、少なくとも第１画面の右端縁の画素に基づいて生成した画像を表示してもよい。
【００１６】
これにより、表示画面の意匠性を向上することができる。
【発明の効果】
【００１７】
本発明によれば、画面の配置を、少なくとも部分的に入れ替えることができるため、表示画面が左右方向に大型化しても各画面の操作対象を左右のいずれの座席に着座するユーザーからも表示画面上で操作することができ、優れた操作性を有する車両用表示装置を提供することができる。
【図面の簡単な説明】
【００１８】
【図１】本発明の一実施形態に係る車両用表示装置の機能ブロック図
【図２】本発明の一実施形態に係る車両用表示装置の表示部の配置例を示す図
【図３】本発明の一実施形態に係る車両用表示装置の機能ブロック図
【図４】本発明の一実施形態に係る車両用表示装置の機能ブロック図
【図５】本発明の一実施形態に係る車両用表示装置の表示画面の一例を示す図
【図６】本発明の一実施形態に係る車両用表示装置の表示画面の一例を示す図
【図７】本発明の一実施形態に係る車両用表示装置の表示画面の一例を示す図
【図８】本発明の一実施形態に係る車両用表示装置の表示画面の一例を示す図
【図９】本発明の一実施形態に係る車両用表示装置の表示画面のモデルの一例を示す図
【図１０】本発明の一実施形態に係る車両用表示装置の表示画面の一例を示す図
【図１１】本発明の一実施形態に係る車両用表示装置の表示画面の一例を示す図
【図１２】本発明の一実施形態に係る車両用表示装置の表示画面の一例を示す図
【図１３】本発明の一実施形態に係る車両用表示装置の表示画面の一例を示す図
【図１４】本発明の一実施形態に係る車両用表示装置の表示画面の一例を示す図
【発明を実施するための形態】
【００１９】
（概要）
本発明に係る車両用表示装置は、左右に配置された複数の画面の表示内容の表示位置を、ユーザーの所定の操作によって少なくとも部分的に入れ替える。これにより、表示画面が左右方向に大型化しても、ユーザーは所望の画面を手が届く範囲に移動させて容易に操作することができる。
【００２０】
（実施形態）
以下、本発明の一実施形態について、図面を参照しながら詳細に説明する。
【００２１】
＜構成＞
図１に、本実施形態の一例に係る車両用表示装置１の機能ブロック図を示す。車両用表示装置１はＥＣＵ１０、表示部１０２、受付部１０３を含む。ＥＣＵ１０は、一例として車両の各種機能を制御する第１機能部１０４および第２機能部１０５と、これらが生成した表示画面を合成して表示部１０２に出力する表示制御部１０１を含む。表示部１０２は表示制御部１０１から表示画面の情報を受け取り、表示画面に表示させる。図２に表示部１０２の配置の例を示す。図２に示すように表示部１０２はコックピット前方の車幅方向の略中央位置に配置され、一例として横および縦のサイズ比が２４：９であり比較的横のサイズが大きい。
【００２２】
第１機能部１０４は、例えばカーナビゲーションシステム等の機能を有し、第２機能部１０５は、例えば車両のエアコン、オーディオ等の機器を制御する機能を有する。受付部１０３はユーザーからの操作を受け付ける。表示部１０２および受付部１０３は、典型的には、ディスプレイにタッチパネルが重ねられたタッチスクリーンであるが、受付部１０３の一部は、タッチスクリーン以外の物理ボタン等によって構成されてもよい。表示制御部１０１は受付部１０３が受け付けた操作入力を受け取り、操作の種別に応じて第１機能部１０４または第２機能部１０５に操作入力を転送して、各種機能を実行させたり、後述するように、表示部１０２に表示させる画面を変更したりする。
【００２３】
図３に、他の例に係る車両用表示装置１の機能ブロック図を示す。この例では、第１機能部１０４が第１ＥＣＵ１１に設けられ、表示制御部１０１および第２機能部１０５が第２ＥＣＵ１２に設けられている。このように車両用表示装置１は、複数のＥＣＵを含んで構成されていもよい。
【００２４】
図４に、さらに他の例に係る車両用制御装置１の機能ブロック図を示す。この例では、第１機能部１０４が車両用制御装置１に設けられておらず、外部機器２００に第１機能部２０４が設けられており、車両用制御装置１は、外部機器２００から表示画面を表示するための情報を受け取る。外部機器２００は限定されず、他の車載機器や、スマートフォン等の携帯情報機器であってもよい。このように車両用表示装置１は、他の機器から表示画面を受け取ってもよい。
【００２５】
＜表示制御の例＞
図５、図６、図７、図８に、表示制御部１０１が行う表示部１０２の表示画面（タッチスクリーン）１１４の表示制御の各例を示す。表示画面は、横長の画面であり、第１機能部１０４が生成した、第１機能に対応する第１画面１１１と、第２機能部１０５が生成した、第２機能に対応する第２画面１１７とを、左右の方向に並べて表示する。図示を省略するが、第１画面、第２画面はそれぞれ、表示内容として、ユーザーに各種情報を提示する画像や、タッチ操作等による指示を受け付けるボタン等の操作部品が表示されている。表示画面の左端は右側座席に着座するユーザーからは手が届きにくく、表示画面の右端は左側座席に着座するユーザーからは手が届きにくい。そのため、表示制御部１０１は、受付部１０３が受け付ける各ユーザーからの所定の入れ替え指示操作に応じて、第１画面１１１と第２画面１１７との位置を入れ替えることにより、第１画面１１１および第２画面１１７のうちユーザーが操作したい画面の操作部品をそのユーザーの手が届く範囲に移動させる。図５、図６、図７、図８では、右側座席に着座するユーザーが、第１画面１１１と第２画面１１７とを入れ替えて第１画面１１１を自らの近くに移動させる例を示す。
【００２６】
図５に示す例では、表示制御部１０１は、受付部１０３への入れ替え指示操作として、タッチスクリーン１１４に対して、右方向のドラッグ動作あるいはフリック動作が行われた場合に、第１画面１１１と第２画面１１７とを入れ替える。
【００２７】
図６に示す例では、表示制御部１０１は、受付部１０３への入れ替え指示操作として、タッチスクリーン１１４上の所定位置に表示されている所定のボタン画像１１９に操作が行われた場合に、第１画面１１１と第２画面１１７とを入れ替える。
【００２８】
図７に示す例では、表示制御部１０１は、受付部１０３への入れ替え指示操作として、タッチスクリーン１１４の外側に設けられた所定の物理ボタン１２９に対する操作が行われた場合に、第１画面１１１と第２画面１１７とを入れ替える。
【００２９】
図８に示す例では、表示制御部１０１は、受付部１０３への入れ替え指示操作として、車内に設けられたモーションセンサが、所定のモーション動作を受け付けた場合に、第１画面１１１と第２画面１１７とを入れ替える。
【００３０】
以上の各例の方法により、右側座席に着座するユーザーが、第１画面１１１と第２画面１１７とを入れ替えて第１画面１１１を自らの近くに移動させ、第１画面１１１内に表示された操作部品をタッチスクリーン上で操作することができる。ユーザーが左側座席に着座している場合や、第２画面をユーザーの近くに移動させる場合も、適宜同様の方法を採用して、第１画面１１１と第２画面１１７とを入れ替えられるようにすることができる。このように表示画面１１４上、あるいはその近傍の、ユーザー寄りの位置において所定の入れ替え操作を受け付け、受け付けた入れ替え操作に応じて、左右方向に配置された第１画面１１１と第２画面１１７との入れ替えを行うことにより、ユーザーは各画面に対する操作を好適に行うことができる。
【００３１】
また、上述の例において、例えば第２画面１１７が第１画面１１１に向かって凸となる円弧形状の輪郭を有するようにしてもよい。また、受付部１０３が第２画面１１７に対する所定の回転指示操作を受け付け、表示制御部１０１が回転指示操作に応じて第２画面１１７内で輪郭に沿って操作部品を移動表示させるようにしてもよい。これにより簡単な操作で、多くの操作部品を順次表示させることができる。
【００３２】
＜実施例＞
以下に、第１画面１１１および第２画面１１７の配置と操作方法の具体的な構成例を説明する。表示部１０２の表示画面１１４における、第１画面１１１および第２画面１１７の振る舞いを説明する仮想的な配置状態を示すモデルを図９に示す。
【００３３】
このモデルにおいては、表示画面１１４の背後に、矩形板１２１と、２つの円板１２２、１２３が配置されている。矩形板１２１の全領域Ａが、表示画面１１４に投影され、第１画面１１１となる。また、円板１２２の右半分の一部、円板１２３の左半分の一部が表示画面１１４に投影され、第２画面１１７の左部分１１２および右部分１１３となる。すなわち本モデルに基づく表示画面１１４においては、第２画面１１７が左部分１１２および右部分１１３の２つの領域を有し、矩形の第１画面１１１の左に第２画面１１７の左部分１１２が表示され、第１画面１１１の右に第２画面１１７の右部分１１３が表示される。また、第２画面１１７の左部分１１２は第１画面１１１に向かって凸となる円弧形状の輪郭を有し、右部分１１３は第１画面１１１に向かって凸となる円弧形状の輪郭を有する。
【００３４】
このモデルにおいて、矩形板１２１および円板１２２、１２３は、左右方向に所定範囲内で平行移動可能である。図９には、これらが移動可能範囲の左端にある場合と、右端にある場合とを示す。また、このモデルにおいて、円板１２２、１２３は、それぞれ周に沿って区画された複数の領域Ｂ、Ｃ、Ｄ、Ｅ、Ｆを有し、各領域に第２機能部１０５の第２機能に含まれる複数のサブ機能に対応した表示内容（不図示）が割り当てられている。円板１２２、１２３は、一例として、それぞれの中心の周りを互いに反対周りに同一速度で連動して回転し、また各円板１２２、１２３における、各領域Ｂ、Ｃ、Ｄ、Ｅ、Ｆの、中心周りの配置順序は、互いに反対である。これにより、円板１２２の右端に位置する領域と、円板１２３の左端に位置する領域とが、常に同じ領域となる。なお、領域の個数は図示する５個に限定されない。
【００３５】
以下に、受付部１０３が受け付けたユーザーの操作に応じて表示制御部１０１が行う表示制御に係る表示画面１１４の画面遷移の例を説明する。画面遷移において、原則として、第１画面１１１と第２画面の左部分１１２および右部分１１３との振る舞いは、上述のモデルに従うが、これは、モデルに基づいて直観的に操作しやすくするためであり、つねにモデルに従わなくてもよい。
【００３６】
図１０に表示画面１１４の画面遷移の一例を示す。図１０の左上に示す状態では、第２画面１１７の右部分１１３が大きく表示され、表示内容として領域Ｆに相当する複数の操作ボタンが表示されている。第２画面１１７の左部分１１２は、右端の部分のみが表示され、操作ボタン等の表示内容は表示されていない。この状態で、入れ替え指示操作として、例えば右側座席に着座するユーザーが第２画面１１７の右部分１１３に対して、右方向のドラッグ操作またはフリック操作を行うか、または、例えば左側座席に着座するユーザーが第２画面１１７の左部分１１２に対して、右方向のドラッグ操作またはフリック操作を行うことにより、第１画面１１１、第２画面１１７の左部分１１２、右部分１１３は、右方向に平行移動し、図１０の右上に示す状態に遷移する。
【００３７】
この過程で第２画面１１７の右部分１１３の表示範囲が小さくなり、左部分１１２の表示範囲が大きくなる。これにより、第１画面１１１が表示画面１１４の左側から、右側に入れ替わるため、右側座席に着座するユーザーにとっては、第１画面１１１に手が届きやすくなり第１画面１１１に対する操作が容易となる。また、第２画面１１７の操作ボタンの表示位置が右部分１１３から左部分１１２に入れ替わるため、左側座席に着座するユーザーにとっては、第２画面１１７の表示内容である複数の操作ボタンに手が届きやすくなり、第２画面１１７に対する操作が容易となる。なお、第２画面１１７の左部分１１２に領域Ｆの操作ボタンが表示されていた場合、上述のモデルに従って、入れ替え後の右部分１１３においても同じ領域Ｆの操作ボタンが表示される。このように、第２画面１１７において入れ替え前後で操作対象となる表示内容が変化しないようにすれば、操作性が良い。
【００３８】
図１０の左上に示す状態において、回転指示操作として、例えば右側座席に着座するユーザーが第２画面１１７の右部分１１３に対して、上方向または下方向のドラッグ操作またはフリック操作を行うことにより、第２画面１１７の右部分１１３の表示内容が、右部分１１３の輪郭の円弧の周方向に沿って移動する。この過程で、右部分１１３においては、領域Ｆの表示内容が表示された状態から、隣接する領域の表示内容が表示された状態に変化する。図１０の左下に図示する例では、回転指示操作として、上方向へのドラッグ操作またはフリック操作が行われて、右部分１１３には領域Ｂの表示内容が表示される。また、右部分１１３に領域Ｆが表示されている場合において、例えば、上方向へのドラッグ操作またはフリック操作が行われると、上述のモデルにおいて円板１２３が右回りに回転し、表示画面１１４において、領域Ｆ、Ｂ、Ｃ、Ｄ、Ｅがこの順に、表示される。これに対して、左部分１１３に領域Ｆが表示されている場合において、例えば、上方向へのドラッグ操作またはフリック操作が行われると、上述のモデルにおいて円板１２２が反対の左回りに回転し、表示画面１１４において、領域Ｆ、Ｂ、Ｃ、Ｄ、Ｅが同じこの順に、表示される。そのため、表示画面１１４上で同じ方向への回転指示操作を行うことによって、左部分１１２および右部分１１３において、複数の領域が同じ順で表示されることになり、操作性が良い。
【００３９】
なお、入れ替え指示操作として、図１０の左上に示す状態において、例えば右側座席に着座するユーザーが第２画面１１７の右部分１１３に対して、左方向のドラッグ操作またはフリック操作を行うことを許容してもよい。このような操作は、例えば、右側座席に着座するユーザーが、左側座席に着座するユーザーに第２画面の操作ボタンを操作できるようにしたい場合に、右部分１１３を左方向に送る感覚で直観的に行うことが想定される。しかし、上述のモデルにおいては、この状態は、矩形板１２１と円板１２２、１２３とが移動可能範囲の左端に達しているため、それより左方向に移動できない状態に対応する。そこで、この操作が行われた場合は、第１画面１１１、第２画面１１７の左部分１１２、右部分１１３が、いったんユーザーの意図に沿って、左方向に所定距離だけ平行移動した後、はね返るように上述と同様に右方向に平行移動するよう動作させる。これにより、ユーザーの意図とモデルの原則とに沿って画面遷移を行うことができる。
【００４０】
あるいは、図１０の左上に示す状態において、例えば右側座席に着座するユーザーが第２画面１１７の右部分１１３に対して、左方向のドラッグ操作またはフリック操作を行った場合は、入れ替えではなく全画面表示を行ってもよい。図１１に全画面操作の画面遷移の例を示す。図１１の上に示す図は、図１０の左上に示すのと同じ状態である。ユーザーが、第２画面１１７の右部分１１３に対して、左方向のドラッグ操作またはフリック操作を行うと、右部分１１３の表示範囲が徐々に大きくなり、図１０の中央に示すように、第２画面１１７の全画面表示となる。全画面表示中に、ユーザーが右方向のドラッグ操作またはフリック操作を行った場合は、第２画面の左側から第１画面１１１が表示されて、第２画面１１７の表示範囲が徐々に小さくなり、図１１の上に示す状態に戻ることができる。これは上述のモデルにおいて円板１２３の径が変化するとみなすことによってモデル化可能である。あるいは、全画面表示中に、ユーザーが左方向のドラッグ操作またはフリック操作を行った場合は、右側から第１画面１１１が表示されて、第２画面の表示範囲が徐々に小さくなり、図１１の下に示すように、操作ボタンが表示された左部分１１２が表示された状態となる。
【００４１】
このように左方向の操作を２度行うことで、第２画面１１７の操作ボタンが右部分１１３から左部分１１２に、全画面表示を介して移動することを許容すると、上述のモデルにおいては円板１２３が円板１２２に入れ替わることとなるが、ユーザーの直観には合致し、操作性が良い。全画面表示の場合、第２画面１１７は、左右のいずれの座席に着座しているユーザーからも操作しやすいように表示内容に含まれる操作ボタン等は、表示画面１１４の中央寄りの位置に配置されることが好ましい。全画面表示前において第２画面１１７に表示されている表示内容について全画面表示に対応した表示態様が用意されていない場合は、このような全画面表示を行わなくてよい。また、全画面表示において、上下方向のドラッグ操作またはフリック操作によって、現在の表示内容を上下方向に移動させ、他の領域の表示内容に変更してもよいが、領域Ｂ、Ｃ、Ｄ、Ｅ、Ｆのいずれかの領域の表示内容について、全画面表示に対応した表示態様が用意されていない場合は、このような全画面表示中における他の領域への表示内容への変更は一律に行わないようにしてもよい。
【００４２】
図１２は、図１０の左上に示す状態において、ユーザーが第２画面１１７の右部分１１３に対して、左方向のドラッグ操作またはフリック操作を行った場合に、画面の入れ替えおよび全画面表示のいずれも可能にする例である。図１２の左上に示す図は、図１０の左上に示すのと同じ状態であるが、第２画面１１７の操作ボタンが表示された右部分１１３の所定の部分に、特定領域１１５が設けられている点が異なる。例えば右側座席に着座するユーザーが右部分１１３の特定領域１１５以外の領域に対して、左方向のドラッグ操作またはフリック操作を行った場合に、図１０に示す例と同様、図１２の右上に示す状態に遷移する。また、例えば右側座席に着座するユーザーが第２画面１１７の右部分１１３に対して、上方向または下方向のドラッグ操作またはフリック操作を行った場合に、第２画面１１７の右部分１１３の表示内容が、右部分１１３の輪郭の円弧の周方向に沿って移動し、図１０に示す例と同様、図１２の左下に示す状態に遷移する。また、例えば右側座席に着座するユーザーが右部分１１３の特定領域１１５に対して、左方向のドラッグ操作またはフリック操作を行った場合に、図１１の中央に示すような全画面表示となる。また、全画面表示において、ユーザーが右方向または左方向のドラッグ操作またはフリック操作を行った場合に、図１２の左上または右上に示す状態となる。
【００４３】
以上の説明においては、第２画面１１７の右部分１１３が大きく表示された状態を起点として各画面遷移を説明したが、操作の仕様は左右対称であり、第２画面の左部分１１２が大きく表示された状態を起点とする各画面遷移は、いずれも、上述の各操作と左右逆の操作によって実行することができる。
【００４４】
以上のように、受付部１０２が受け付ける操作仕様として以下のような例を採用することができる。
【００４５】
（操作仕様１：全画面表示なし）
入れ替え指示操作（第１指示操作）は、第２画面１１７の右部分１１２および左部分１１３のうち、表示範囲が小さいほうに対する、当該表示範囲が小さいほうから第１画面１１１の方向へのドラッグ操作またはフリック操作、および、表示範囲が大きいほうに対する、第１画面１１１から当該表示範囲が大きいほうの方向へのドラッグ操作またはフリック操作であり、
回転指示操作（第２指示操作）は、第２画面１１７の右部分１１２および左部分１１３のうち、表示範囲が大きいほうに対する上下方向へのドラッグ操作またはフリック操作である。
【００４６】
（操作仕様２：全画面表示あり、特定領域なし）
全画面表示指示操作（第３指示操作）は、第２画面１１７の右部分１１２および左部分１１３のうち、表示範囲が大きいほうに対する、当該表示範囲が大きいほうから第１画面１１１の方向へのドラッグ操作またはフリック操作であり、
全画面表示解除指示操作（第４指示操作）は、全画面表示された第２画面１１７に対する左右方向へのドラッグ操作またはフリック操作であり、
入れ替え指示操作（第１指示操作）は、第２画面１１７の右部分１１２および左部分１１３のうち、表示範囲が小さいほうに対する、当該表示範囲が小さいほうから第１画面１１１の方向へのドラッグ操作またはフリック操作、および、表示範囲が大きいほうに対する、第１画面から当該表示範囲が大きいほうの方向へのドラッグ操作またはフリック操作であり、
回転指示操作（第２指示操作）は、第２画面１１７の右部分１１２および左部分１１３のうち、表示範囲が大きいほうに対する上下方向のドラッグ操作またはフリック操作である。
また、入れ替え指示操作（第１指示操作）は、第２画面１１７の右部分１１２および左部分１１３のうち、表示範囲が大きいほうに対する、当該表示範囲が大きいほうから第１画面１１１の方向へのドラッグ操作またはフリック操作を許容操作として含んでもよい。
【００４７】
（操作仕様３：全画面表示有り、特定領域あり）
全画面表示指示操作（第３指示操作）は、第２画面１１７の右部分１１２および左部分１１３のうち、表示範囲が大きいほうに設けられた特定領域に対する、特定領域から第１画面１１１の方向へのドラッグ操作またはフリック操作であり、
全画面表示解除指示操作（第４指示操作）は、全画面表示された第２画面１１７に対する左右方向へのドラッグ操作またはフリック操作であり、
入れ替え指示操作（第１指示操作）は、第２画面１１７の右部分１１２および左部分１１３のうち、表示範囲が小さいほうに対する、当該表示範囲が小さいほうから第１画面の方向へのドラッグ操作またはフリック操作、および、表示範囲が大きいほうにおける特定領域以外の領域に対する、第１画面１１１から当該表示範囲が大きいほうの方向へのドラッグ操作またはフリック操作であり、
回転指示操作（第２指示操作）は、第２画面１１７の右部分１１２および左部分１１３のうち、表示範囲が大きいほうに対する上下方向へのドラッグ操作またはフリック操作である。
また、入れ替え指示操作（第１指示操作）は、第２画面１１７の右部分１１２および左部分１１３のうち、表示範囲が大きいほうにおける特定領域以外の領域に対する、当該表示範囲が大きいほうから第１画面の方向へのドラッグ操作またはフリック操作を許容操作として含んでもよい。
【００４８】
また、上述の操作仕様等において、表示制御部１０１は、以下のような表示制御を行うことができる。
【００４９】
（表示制御）
表示制御部１０１は、入れ替え指示操作における操作方向と同一方向に第１画面１１１および第２画面１１７の平行移動表示を行い、第２画面１１７の表示内容の表示位置を第２画面１１７の左部分１１２と右部分１１３との間で入れ替え、入れ替えの前に第２画面１１７の左部分１１２および右部分１１３の一方に表示していた表示領域を、入れ替えた後の他方に表示し、
回転指示操作における操作方向に沿って第２画面１１７の表示内容が円弧状の輪郭に沿って移動するよう回転移動表示を行い、回転指示操作における操作方向に対する、第２画面１１７の表示内容の表示順序を、左部分１１２および右部分１１３において同順とする。
また、入れ替え指示として上述の許容操作が行われた場合は、第１画面１１１および第２画面１１７を、許容操作における操作方向と同一方向に所定距離だけ平行移動表示を行った後に、操作方向の反対方向に平行移動表示を行うことにより入れ替え表示を行う。
また、全画面表示を行う場合、全画面表示指示操作に応じて、第２画面１１７を全画面表示し、
第２画面１１７を全画面表示している間に、全画面表示解除指示操作を受け付けた場合、第１画面１１１と第２画面１１７の左部分１１２および右部分１１３を表示し、全画面表示解除指示操作における操作方向が、左方向である場合、第２画面１１７の左部分１１２に表示内容を表示し、右方向である場合、第２画面１１７の右部分１１３に表示内容を表示する。
【００５０】
また、図１０、図１１、図１２に示した例においては、各状態において操作可能な方向を示す操作ガイド１１６が表示されている。操作ガイド１１６は、表示制御部１０１が常時表示してもよいし、所定時間、ユーザーの操作が検出されず、ユーザーが不慣れであると推定されるような場合に表示して、不要な表示を抑制し、慣れたユーザーには煩わしさを感じさせないようにしてもよいし、またあるいは、表示しなくてもよい。
【００５１】
また、表示制御部１０１は、第１画面１１１と第２画面１１７の左部分１１２および右部分１１３とを左または右に平行移動表示する際、第１画面１１１を平行移動表示する開始タイミングを、第２画面１１７の右部分１１２および左部分１１３を平行移動表示する開始タイミングより遅らせてもよい。また、第１画面１１１を平行移動表示する速度を、第２画面の右部分１１２および左部分１１３を平行移動表示する速度より小さくしてもよい。また、これらを組み合わせてもよい。これにより、第１画面１１１が第２画面１１７の左部分１１２および右部分の動きに追随する様子が表現でき、上述のモデルを反映した直観的な動的意匠性を付与することができ操作性がよい。
【００５２】
以上説明した操作方法は一例であって、図５、図６、図７、図８に示したようなボタンやモーション等による操作であってもよい。また、これらの操作方法を複数併用してもよい。いずれにせよ、画面入れ替えのための操作の受付位置は、ユーザーから手が届きやすい位置に設けることが好ましい。
【００５３】
なお、矩形状の第１画面１１１の左端と第２画面１１７の左部分１１２の円弧状の右端との間、および、第１画面１１１の右端と第２画面１１７の右部分１１３の円弧状の左端との間には、それぞれ隙間が存在する。図１３の上に表示画面１１４内に生じうるこのような隙間１１８の例を示す。この隙間１１８には例えば、第１画面１１１の画像の一部に基づいて生成された補完画像が表示される。補完画像は、例えば、表示制御部１０１が、第１画面１１１の左端部の各画素の色を左方向の隙間１１８にコピーし、第１画面１１１の右端部の各画素の色を右方向の隙間１１８にコピーすることで生成することができる。このようにして生成した補完画像を表示した表示画面１１４の例を図１３の下に示す。図１０、図１１、図１２も、このように補完画像が表示された例を示している。また、補完画像は、これに加えて、例えば、第１画面から左右方向に遠ざかるにつれて明度が低下するようなグラデーションを付加してもよい。このように隙間１１８を補完することにより、第１画面１１１と第２画面１１７との境界の不自然さをなくし、また上述のモデルに沿って第１画面１１１が第２画面１１７の背後にあるような意匠性を付与することができる。
【００５４】
図１４に、第２画面の右部分１１３の表示内容が、右部分１１３の輪郭の円弧の周方向に沿って移動する様子の一例を示す。図１４に示すように、表示制御部１０１が、各領域の表示内容を移動させる際、その各領域の中心部の代表位置が、円弧状の輪郭の中心を軸とする回転移動を行い、各領域に含まれる操作ボタン等の各表示内容の向きが一定の向きを維持するように表示すれば、移動途中であっても操作ボタンを視認しやすく操作性が良い。
【００５５】
また、表示制御部１０１は、表示画面１１４に第１画面１１１や第２画面１１７の他にも、例えばシフトレバーがリバースレンジにある場合に、車両後方のモニタ画像を受け付けて表示する等、他の機能に係る画面を全画面表示してもよい。
【００５６】
なお、図３、図４に示すような、第１画面１１１を、表示制御部１０１を含むＥＣＵとは異なる機器から受け取る構成にすれば、例えば従来の機器が生成した従来の縦横比の画面を第１画面１１１として用いることができ、本発明の適用範囲を容易に拡大することができる。
【００５７】
（効果）
本発明によれば、表示画面の左右方向に並べて表示された、画面の配置を、少なくとも部分的に入れ替えることができるため、表示画面が左右方向に大型化しても各画面の操作対象を左右のいずれの座席に着座するユーザーからも表示画面上で操作することができ、優れた操作性を有する車両用表示装置を提供することができる。
【００５８】
なお、上述したような画面の配置の変更ができれば、本発明は、上述した各特徴の任意の組合せで実施してよく、各特徴の変更、省略も適宜行ってよい。例えば、第２画面の左部分、右部分のうち、表示範囲が小さいほうにも表示内容の一部が表示されてもよい。また、第２画面の左部分、右部分は、回転指示操作にともなって移動する部分だけでなく、移動せずに常時表示される部分を含んでもよい。また、本発明は、車両用表示装置としてだけでなく、タッチスクリーンを備えるコンピューターが実行する画面制御方法、プログラム等としてとらえることも可能である。
【産業上の利用可能性】
【００５９】
本発明は、車両等における表示装置に有用である。
【符号の説明】
【００６０】
１    車両用表示装置
１０    ＥＣＵ
１１    第１ＥＣＵ
１２    第２ＥＣＵ
１０１    表示制御部
１０２    表示部
１０３    受付部
１０４    第１機能部
１０５    第２機能部
１１１    第１画面
１１２    左部分
１１３    右部分
１１４    表示画面
１１５    特定領域
１１６    操作ガイド
１１７    第２画面
１１８    隙間
１１９    ボタン画像
１２１    矩形板
１２２、１２３    円板
１２９    ボタン
２００    外部機器
２０４    第１機能部
【図１】
2019164674.tif 000003
【図２】
2019164674.tif 000004
【図３】
2019164674.tif 000005
【図４】
2019164674.tif 000006
【図５】
2019164674.tif 000007
【図６】
2019164674.tif 000008
【図７】
2019164674.tif 000009
【図８】
2019164674.tif 000010
【図９】
2019164674.tif 000011
【図１０】
2019164674.tif 000012
【図１１】
2019164674.tif 000013
【図１２】
2019164674.tif 000014
【図１３】
2019164674.tif 000015
【図１４】
2019164674.tif 000016